(57)【要約】【課題】登録された登録日時を電子データに付帯させた印刷結果を容易に得ることができる原本保証プリントを再現性よく行うことである。【解決手段】プリンタ１１０から出力すべき電子データの特徴量をユーザパソコン１００が抽出し、該抽出される特徴量と該電子データのプリント要求者を識別するためのユーザＩＤとを含む原本特定情報を原本登録サーバ１２０に送出して管理し、原本登録サーバ１２０において該管理される管理情報と電子データとに基づき、原本登録サーバ１２０から通知される管理情報に基づきプリンタ１１０に出力すべきプリントデータの作成を制御する構成を特徴とする。【選択図】      図１
2004246663.tif 000002
【特許請求の範囲】
【請求項１】
サーバ装置とデータ処理装置とが通信して所定のデータ処理を行う画像処理システムにおけるデータ処理方法であって、
プリンタ装置から出力すべき電子データの特徴量を抽出する抽出ステップと、前記抽出ステップにより抽出される特徴量と該電子データのプリント要求者を識別するためのユーザＩＤとを含む原本特定情報を前記サーバ装置に送出する送出ステップと、
前記サーバ装置から管理される管理情報と前記電子データとに基づき、前記プリンタ装置に出力すべきプリントデータの作成を制御する制御ステップと、
前記データ処理装置から送信される前記原本特定情報を受信して記憶部に登録して管理する管理ステップと、
前記データ処理装置による再プリント要求時に、前記データ処理装置から送信される原本特定情報と前記記憶部に登録された原本特定情報とを参照して、前記電子データに付加すべき管理情報を前記データ処理装置に通知する通知ステップと、
を備えたことを特徴とするデータ処理方法。
【発明の詳細な説明】
【０００１】
【発明の属する技術分野】
本発明は、サーバ装置とデータ処理装置とが通信して所定のデータ処理を行う画像処理システムの画像処理に関するものである。
【０００２】
【従来の技術】
従来、原本性の保証を伴うような文書をプリント処理する印刷システムが後述するように提案されている。
【０００３】
例えば、特開２０００−２８５０２４号公報では紙の原本が有する性質を電子情報に持たせ、電子情報の証明力を高めることを目的に、電子データを保存する際に、原本であることを示すファイル属性コードを付加し、少なくとも他の電子データと識別可能な状態で保存するようにしている。
【０００４】
又、特開２００１−２０２４３６号公報では保存された申請書類の安全性を長期にわたって確保する電子申請システムを提供することを目的として端末からネットワーク経由で電子的な書類の申請を行う電子申請システムが提供され、その電子申請システムは、書類保存装置と、端末から送信された書類を含む情報から改竄検知コードを計算する手段と、該情報を該改竄検知コードとともに書類保存装置に保存する手段とを有している。
【０００５】
又、本出願人は、先に特開２０００−２２４４０７号公報において電子署名に関するプリントの信頼性を向上させるようにするために、改竄が困難な形態でプリント上にメッセージダイジェスト値を付加するようにして、電子署名された文書データの価値を向上させることができるようにしている。
【０００６】
さらに、特開２０００−２８５０２４号公報、特開２００１−２０２４３６号公報で示すように電子情報の形態で管理サーバに元のデータを保存しておく事は、大規模な電子記憶装置が必要になりその維持管理が容易ではない。又、電子情報を長期にわたり、外部の記憶装置に保持することにより機密保全上のリスクが増大する。
【０００７】
又、本出願人は特開２０００−２２４４０７号公報において電子署名に関するプリントの信頼性を向上させるようにするための方策を提案しているが、プリントが行われた日時、及びその内容を第３者が保証する事はしていない。
【０００８】
従来の印刷システムは上記のように構成されているので、本出願人は、上述の観点から、コンピュータより電子データをプリントする際、大規模な電子記憶装置を用いず、元の電子データそのものを電子記憶装置に保持しないで、プリント日時、及びその内容を保証する印刷システムを提案している。
【０００９】
具体的には、上記印刷システムは、電子データをコンピュータがプリントする際に、電子データの特徴量及びプリント作成日時を原本登録サーバに記憶する手段と、原本登録サーバが発行する管理番号をプリント上に付加する手段と、電子データの特徴量を改竄が困難な形態でプリント上に付加する手段とを備えることを特徴としている。
【００１０】
また、上記プリントシステムのその他の特徴とするところは、プリントに付加されている管理番号と特徴量を読み取る手段と、前記読み取られたデータを原本登録サーバで確認する手段と、確認結果を出力する手段を有することを特徴としている。
【００１１】
【発明が解決しようとする課題】
しかしながら、上記印刷システムでは、プリント物を紛失した場合等、再プリントをユーザが実行したい場合、元のプリント物と同様の情報が付加されたプリント物を再プリントする手段を備えていないので、クライアントシステムにおいて、対応電子データが残っておりそのデータをもとに、先に提案した原本性保証プリントを実行しても原本登録サーバに登録される日時は、その時点の日時と異なるためプリント物に付加される日時は元のプリント物と異なったものになってしまうという問題があった。
【００１２】
本発明は、上記の問題点を解決するためになされたもので、本発明の目的は、プリンタ装置から出力すべき電子データの特徴量を抽出し抽出される特徴量と該電子データのプリント要求者を識別するためのユーザＩＤとを含む原本特定情報をサーバ装置に送出して管理し、サーバ装置において該管理される管理情報と電子データとに基づき、サーバ装置から通知される管理情報に基づきプリンタ装置に出力すべきプリントデータの作成を制御することにより、ユーザがサーバ装置に登録した原本特定情報に従い、電子データを再プリント処理する際に、先に登録された登録日時を電子データに付帯させた印刷結果を容易に得ることができる原本保証プリントを再現性よく行えるデータ処理方法を提供することである。
【００１３】
【課題を解決するための手段】
上記目的を達成する本発明のデータ処理方法は以下に示す構成を備える。
【００１４】
本発明は、サーバ装置とデータ処理装置とが通信して所定のデータ処理を行う画像処理システムにおけるデータ処理方法であって、プリンタ装置から出力すべき電子データの特徴量を抽出する抽出ステップ（図４に示すステップ（３０３））と、前記抽出ステップにより抽出される特徴量と該電子データのプリント要求者を識別するためのユーザＩＤとを含む原本特定情報を前記サーバ装置に送出する送出ステップ（図４に示すステップ（３０４））と、前記サーバ装置から管理される管理情報と前記電子データとに基づき、前記プリンタ装置に出力すべきプリントデータの作成を制御する制御ステップ（図４に示すステップ（３０６））と、前記データ処理装置から送信される前記原本特定情報を受信して記憶部に登録して管理する管理ステップ（図４に示すステップ（３１３））と、前記データ処理装置による再プリント要求時に、前記データ処理装置から送信される原本特定情報と前記記憶部に登録された原本特定情報とを参照して、前記電子データに付加すべき管理情報を前記データ処理装置に通知する通知ステップ（図４に示すステップ（３１２））とを備えたことを特徴とする。
【００１５】
【発明の実施の形態】
〔第１実施形態〕
図１は、本発明の第１実施形態を示す画像処理システムの構成を説明する図であり、図中の破線を挟んでクライアント機器側とサーバ側とが通信可能な画像処理システムの例に対応する。なお、本実施形態では、サーバ装置がユーザ毎に登録されている原本としてのファイルを管理する原本登録サーバで構成されている。
【００１６】
図１において、ユーザパソコン（ホストコンピュータ）１００は、ユーザＩＤおよびプリントデータから特徴量を抽出し原本登録サーバ１２０に送出する。リーダ１０１は原本登録確認時に原稿データを読み取る。
【００１７】
なお、原本登録時には、原本登録サーバ１２０はユーザパソコン１００よりユーザＩＤ及び原稿特徴量を受け取り原本登録ファイル１２１として記憶する。
【００１８】
原本再プリント時には、原本登録サーバ１２０はユーザパソコン１００よりユーザＩＤ及び原稿特徴量、及び登録番号を受け取り、原本登録ファイル１２１の再プリントの旨を履歴として記憶する。
【００１９】
原本登録ファイル１２１には、原本登録サーバ１２０の記憶領域に記憶される登録データが格納される。プリンタ１１０は、ユーザパソコン１００からのプリントデータと原本登録サーバ１２０から取得し、プリント番号と日時情報とを合成して、図２に示すようなフォーマットで原本保証コード付プリント１１１を出力する。
【００２０】
１０２は記憶データで、プリントデータ，特徴量抽出データ，メッセージダイジェスト値（ダイジェスト値）から構成されている。
【００２１】
図２は、図１に示したプリンタ１１０から出力される原本保証コード付プリント１１１のプリント内容を説明する図である。
【００２２】
図２において、２０１は証明内容エリアで、原本登録サーバ１２０から取得してプリント番号と日時情報とに対するテキスト出力エリアが、例えば用紙のヘッダ領域に確保された例である。２０２は本文プリント領域であり、図１に示したリーダ１０１から入力された画像データをユーザパソコン１００にて画像処理された後、プリントされるプリントデータである。
【００２３】
図３は、本発明の第１実施形態を示す情報処理装置を適用可能な画像処理システムの構成を説明するブロック図であり、図１と同一のものには同一の符号を付してあり、図１に示したクライアント機器側の構成に対応する。なお、原本登録サーバ１２０も図３に示したホストコンピュータと同様の構成を備えているものとする。
【００２４】
なお、本発明の機能が実行されるのであれば、単体の機器であっても、複数の機器からなるシステムであっても、ＬＡＮ等のネットワークを介して処理が行われるシステムであっても本発明を適用できる。
【００２５】
図３において、１００はホストコンピュータ（ユーザパソコン）で、外部メモリ１１に記憶された文章処理プログラム等に基づいて、図形（グラフィックス），イメージ，文字，表（表計算等を含む）等が混在した文書処理を実行するＣＰＵ１を備え、システムバス４に接続される各デバイスをＣＰＵ１が総括的に制御する。
【００２６】
また、このＲＯＭ３のプログラム用ＲＯＭには、ＣＰＵ１の制御プログラム等を記憶し、ＲＯＭ３のフォント用ＲＯＭには、上記文書処理の際に使用するフォントデータ等を記憶し、ＲＯＭ３のデータ用ＲＯＭには上記文書処理を行う際に使用する各種データを記憶する。
【００２７】
２はＲＡＭで、ＣＰＵ１の主メモリ，ワークエリアとして機能する。５はキーボードコントローラ（ＫＢＣ）で、キーボード（ＫＢ）９や図示しないポインティングデバイスからのキー入力を制御する。６はＣＲＴコントローラ（ＣＲＴＣ）で、ＣＲＴディスプレイ（ＣＲＴ）１０の表示を制御する。
【００２８】
７はディスクコントローラ（ＤＫＣ）で、ブートプログラム，種々のアプリケーション，フォントデータ，ユーザファイル，編集ファイル等を記憶するハードディスク（ＨＤ），フレキシブルディスク（ＦＤ）等の外部メモリ１１とのアクセスを制御する。
【００２９】
８はプリンタコントローラ（ＰＲＴＣ）で、所定の双方向インタフェース（インタフェース）２１を介してプリンタ１１０に接続されて、プリンタ１１０との通信制御処理を実行する。
【００３０】
なお、ＣＰＵ１は、例えばＲＡＭ２上に設定された表示情報ＲＡＭへのアウトラインフォントの展開（ラスタライズ）処理を実行し、ＣＲＴ１０上でのＷＹＳＩＷＹＧを可能としている。
【００３１】
また、ＣＰＵ１は、ＣＲＴ１０上の図示しないマウスカーソル等で指示されたコマンドに基づいて登録された種々のウインドウを開き、種々のデータ処理を実行する。
【００３２】
プリンタ１１０において、１２はプリンタＣＰＵ（ＣＰＵ）で、ＲＯＭ１３のプログラム用ＲＯＭに記憶された制御プログラム等或いは外部メモリ１４に記憶された制御プログラムに基づいてシステムバス１５に接続される各種のデバイスとのアクセスを統括的に制御し、印刷部インタフェース１６を介して接続される印刷部（プリンタエンジン）１７に出力情報として画像信号を出力する。
【００３３】
また、このＲＯＭ１３のプログラム用ＲＯＭには、ＣＰＵ１２の制御プログラムを記憶している。
【００３４】
ＲＯＭ１３のフォント用ＲＯＭには上記出力情報を生成する際に使用するフォントデータ等を記憶し、ＲＯＭ１３のデータ用ＲＯＭには、ハードディスク等の外部メモリ１４が無いプリンタの場合には、ホストコンピュータ上で利用される情報等を記憶している。
【００３５】
ＣＰＵ１２は入力部１８を介してホストコンピュータ１００との通知が可能となっており、プリンタ１１０内の情報等をホストコンピュータ１００に通知可能に構成されている。
【００３６】
１９はＲＡＭで、ＣＰＵ１２の主メモリ，ワークメモリとして機能し、図示しない増設ポートに接続されるオプションＲＡＭによりメモリ容量を拡張することができるように構成されている。なお、ＲＡＭ１９は、出力情報展開領域、環境データ格納領域、ＮＶＲＡＭ等に用いられる。
【００３７】
また、前述したハードディスク（ＨＤ），ＩＣカード等の外部メモリ１４は、ディスクコントローラ（ＤＫＣ）２０によりアクセス制御される。
【００３８】
外部メモリ１４は、オプションとして接続され、フォントデータ，エミュレーションプログラム，フォームデータ等を記憶する。
【００３９】
さらに、外部メモリ１４は、１個に限らず、少なくとも１個以上備え、内蔵フォントに加えてオプションフォントカード、言語系の異なるプリンタ制御言語を解釈するプログラムを格納した外部メモリ１４を複数接続できるように構成されていてもよい。さらに、図示しないＮＶＲＡＭを備え、操作パネル２２からのプリンタモード設定情報を記憶するようにしても良い。
【００４０】
図４は、本発明に係る画像処理システムにおける第１のデータ処理手順の一例を示すフローチャートであり、図１に示したユーザパソコン１００と原本登録サーバ１２０との間における一連の画像処理手順に対応する。なお、（３０１）〜（３０８）はユーザパソコン１００側の各ステップに対応し、（３１０）〜（３１４）は原本登録サーバ１２０側の各ステップに対応する。また、各ステップに対応する制御プログラムは外部メモリ１１等よりＲＡＭ２上にロードされて、ＣＰＵ１が実行することにより達成されるものとする。以下、プリント処理について詳述する。
【００４１】
図５は、図３に示したＣＲＴ１０上に表示される第１のプリント属性選択画面の一例を示す図であり、例えば外部メモリ１１よりＲＡＭ２上にロードされているプリンタドライバによりユーザインタフェースとして表示されるものとする。
【００４２】
図５において、１１０１は通常プリントボタンで、該通常プリントボタン１１０１が押下指示されると、図１に示したユーザパソコン１００のアプリケーションから出力される出力情報をプリンタ１１０が出力可能なプリントデータを作成してプリンタ１１０で出力される。
【００４３】
１１０２は原本登録プリントボタンで、該原本登録プリントボタン１１０２が押下指示されると、図１に示したユーザパソコン１００のアプリケーションから出力される出力情報をプリンタ１１０が出力可能なプリントデータを作成するとともに、原本登録サーバ１２０から取得される再プリント番号，日時データとから作成されるプリントデータとを合成してプリンタ１１０で出力される。
【００４４】
まず、ステップ（３０１）において、ユーザパソコン１００のＣＲＴ１０上に図５で示す操作画面を表示して、ユーザが通常プリントか原本登録プリントの選択を原本登録プリントボタン１１０２または通常プリントボタン１１０１により行う。原本登録プリントの選択をユーザーが行った際は、ステップ（３０３）〜（３０６）の処理を行う。通常プリントの選択をユーザが行った際は、ステップ（３０２）に進み、図２で示す本文プリントエリア２０２の部分のプリントデータのみ作成して、ステップ（３０７）へ進む。
【００４５】
一方、ステップ（３０１）で、原本登録プリントが選択された場合には、ステップ（３０３）において、図６に示す方法でプリントデータからハッシュ変換を行い、特徴量としてメッセージダイジェスト値を抽出する。
【００４６】
そして、ステップ（３０４）において、ユーザパソコンに既設定されているユーザＩＤと、ステップ（３０３）で抽出したダイジェスト値を原本登録サーバ１２０に送出する。
【００４７】
次に、ステップ（３０５）において、原本登録サーバ１２０で発行した、登録番号を受信する。そして、ステップ（３０６）において、図２に示した証明内容エリア２０１及び本文プリントエリア２０２のプリントデータを作成する。そして、ステップ（３０７）において、ステップ（３０６）で作成されたプリントデータに基づきプリンタ１１０でプリント処理を実行して、ステップ（３０８）で、処理を終了する。
【００４８】
ステップ（３１０）〜（３１４）は原本登録サーバ１２０の処理を説明する部分である。
【００４９】
まず、ステップ（３１０）において、ユーザパソコン１００からデータを受信した日時を特定する。そして、ステップ（３１１）において、ユーザパソコン１００から送られてきたユーザＩＤが正当か否かを検証して、正当なユーザＩＤでないと判断した場合は、ステップ（３１４）へ進み処理を終了する。
【００５０】
一方、ステップ（３１１）で、正当なユーザＩＤであると判断した場合は、ステップ（３１２），（３１３）の処理を行う。
【００５１】
そして、ステップ（３１２）において、受信日時及びユーザＩＤによりユニークに決められる登録番号を決定しユーザパソコン１００に送出する。次に、ステップ（３１３）において、図１に示した原本登録ファイル１２１に該当するデータを格納する。
【００５２】
図６は、図１に示したユーザパソコン１００によるプリントデータ作成処理状態を説明する図であり、図３のステップ（３０６）のプリント作成処理に対応する。
【００５３】
図６において、４０１は元プリントデータ、４０２は登録番号、日時を含む送信データで、原本登録サーバ１２０より送信される。４０３は付加処理を示し、本文プリントエリア２０２のプリントデータに図２に示した証明内容エリア２０１に印刷される登録番号・日時データを付加する処理である。４０７は原本保証コード付きプリントデータである。
【００５４】
４０５は電子透かし重畳処理で、メッセージダイジェスト値４０４を、後述する図８で示す方式で電子透かしとしてプリントデータに重畳する処理である。
【００５５】
図７は、図１に示したユーザパソコン１００によるメッセージダイジェスト値の生成概念を説明する図であり、図４に示したステップ（３０３）の特徴量抽出処理に対応する。
【００５６】
図７に示すように、本実施形態では、例えばハッシュ関数ＭＤ５を用いてメッセージダイジェスト値４０４を算出するようにしている。ハッシュ関数ＭＤ５は例えば、現在実用に用いられている暗号化プログラムの一つであるＰＧＰ（Ｐｒｅｔｔｙ  Ｇｏｏｄ  Ｐｒｉｖａｃｙ）でメッセージダイジェスト関数として用いられているものである。
【００５７】
図８は、図１に示したユーザパソコン１００による電子透かし処理例を説明する図である。
【００５８】
図８に示すように、本実施形態では、電子すかし情報としてメッセージダイジェスト値４０４をプリント画像に付加する。８０１は周波数変換処理で、元画像データに所定の周波数変換処理を施す。８０２は逆周波数変換処理である。なお、電子すかし技術は、公知の技術であり、例えば特開平９−１９１３９４号公報に詳述されている。
【００５９】
図９は、本発明に係る画像処理システムにおける第２のデータ処理手順の一例を示すフローチャートであり、図１に示したユーザパソコン１００と原本登録サーバ１２０との間における一連のプリント物の原本登録確認処理手順に対応する。なお、（７０１）〜（７０６）はユーザパソコン１００側の各ステップに対応し、（７１０）〜（７１３）は原本登録サーバ１２０側の各ステップに対応する。また、各ステップに対応する制御プログラムは外部メモリ１１等よりＲＡＭ２上にロードされて、ＣＰＵ１が実行することにより達成されるものとする。以下、プリント処理について詳述する。
【００６０】
まず、ステップ（７０１）において、リーダ１０１によりプリンタ１１０から出力された原本保証コード付プリント１１１を読み取り、例えばヘッダ領域上の登録番号・日時４０２、及びメッセージダイジェスト値４０４を抽出する。そして、ステップ（７０２）において、ステップ（７０１）で抽出したデータを原本登録サーバ１２０に送出する。そして、ステップ（７０３）において、原本登録サーバ１２０での確認結果を受信する。
【００６１】
次に、ステップ（７０４）において、原本登録サーバ１２０から受信した確認情報が肯定であると判定した場合は、ステップ（７０５）において、図１０に示すフォーマットで登録確認証をプリンタ１１０でプリントして、処理を終了する。
【００６２】
一方、ステップ（７０４）で確認情報が否定と判定された場合には、図１１に示すフォーマットで登録不確認をプリントする。
【００６３】
図１０，図１１は、本発明に係る画像処理システムにおける登録確認証結果印刷例を示す図であり、図１０は確認ＯＫ例で、図１１は確認ＮＧ例である。
【００６４】
以下、ステップ（７１０）〜（７１３）に示す原本登録サーバ１２０の処理を説明する。
【００６５】
まず、ステップ（７１０）において、ユーザパソコン１００から送られてくる登録番号・日時データ４０２、及びメッセージダイジェスト値４０４を受信し、原本登録ファイル１２１の内容と照合し合致しているかどうかを判定し、合致していると判定した場合は、ステップ（７１１）で、原本登録ファイル１２１の確認履歴の項目に、肯定判定及び確認日時を格納する追加処理を行い、ステップ（７１３）で、ステップ（７１０）で確認した、判定結果をユーザパソコン１００に通知して、処理を終了する。
【００６６】
一方、ステップ（７１０）で、合致していないと判定した場合には、原本登録ファイル１２１の確認履歴の項目に、否定判定及び確認日時を格納して、ステップ（７１０）で確認した、判定結果をユーザパソコン１００に通知して、処理を終了する。
【００６７】
図１２は、本発明に係る画像処理システムにおける第３のデータ処理手順の一例を示すフローチャートであり、図１に示したユーザパソコン１００と原本登録サーバ１２０との間における一連の再プリント時の処理手順に対応する。なお、（１３０１）〜（１３０９）はユーザパソコン１００側の各ステップに対応し、（１３１０）〜（１３１４）は原本登録サーバ１２０側の各ステップに対応する。また、各ステップに対応する制御プログラムは外部メモリ１１等よりＲＡＭ２上にロードされて、ＣＰＵ１が実行することにより達成されるものとする。以下、プリント処理について詳述する。
【００６８】
図１３は、図３に示したＣＲＴ１０上に表示される第２のプリント属性選択画面の一例を示す図であり、例えば外部メモリ１１よりＲＡＭ２上にロードされているプリンタドライバによりユーザインタフェースとして表示されるものとする。なお、図５と同一のものには同一の符号を付してある。
【００６９】
図１３において、１２０１は原本再プリントボタンで、該ボタンが選択された場合に、原本登録サーバ１２０に対してユーザパソコン１００のユーザに対して既設定されているユーザＩＤと、抽出されるメッセージダイジェスト値と、入力された登録番号データ１２０２を原本登録サーバ１２０に送出する。
【００７０】
まず、ステップ（１３０１）において、図１３で示すユーザパソコン１００のＣＲＴ１０に表示される操作画面で、ユーザは通常プリントか原本登録プリントか原本再プリントかの選択をボタン指示により行う。
【００７１】
ここで、原本再プリントの選択をユーザが行ったと判断した場合には、以下、ステップ（１３０３）〜（１３０８）の処理を行う。
【００７２】
そして、ステップ（１３０１）で、通常プリント又は原本登録プリントの選択をユーザが行ったと判断した場合には、図４に示した原本登録時の処理を行い、処理を終了する。
【００７３】
一方、ステップ１３０１において、原本再プリントボタン１２０１の指示により、原本再プリントをユーザが選択したと判断した場合には、図７に示した方法でプリントデータからハッシュ変換を行い、特徴量としてメッセージダイジェスト値４０４を抽出する。
【００７４】
そして、ステップ（１３０４）において、ユーザパソコン１００に既設定されているユーザＩＤと、ステップ（１３０３）で抽出したダイジェスト値と、図１３に示した画面上で入力された登録番号データ１２０２を原本登録サーバ１２０に送出する。
【００７５】
そして、ステップ（１３０５）において、原本登録サーバ１２０で発行した、再プリント番号及び原本登録日時を受信する。次に、ステップ（１３０６）において、図１４で示すプリントデータを作成する。
【００７６】
図１４は、図１に示したユーザパソコン１００で作成されるプリントデータの一例を示す図である。
【００７７】
図１４において、１４０１は証明エリアで、プリント物が登録プリントの再プリントであることを証明するテキストが印刷される。
【００７８】
そして、ステップ（１３０７）で、プリンタ１１０が作成されたプリントデータをプリントして、ステップ（１３０８）で、処理を終了。これにより、図１４に示す再プリント結果を得る。
【００７９】
以下、ステップ（１３１０）〜（１３１４）における原本登録サーバ１２０の処理を説明する。
【００８０】
まず、ステップ（１３１０）において、ユーザパソコン１００からデータを受信した日時を特定する。そして、ステップ（１３１１）において、ユーザパソコン１００から送られてきたユーザＩＤと特徴量と登録番号が正当か否かを検証する。
【００８１】
ここで、正当なユーザＩＤでないと判断した場合には、ステップ（１３１４）へ進み、処理を終了する。
【００８２】
一方、ステップ（１３１１）で、正当なユーザＩＤであると判断した場合には、ステップ（１３１２）において、再プリント番号を決定しユーザパソコン１００に送出する。そして、ステップ（１３１３）において、図１で示す原本登録ファイル１２１に再プリント履歴を格納して、ステップ（１３１４）へ進み、処理を終了する。
【００８３】
〔第２実施形態〕
なお、上記第１実施形態では、図１０に示すように、登録確認結果をテキストデータで印刷する場合について説明したが、登録確認結果をプリント画像全域に薄い濃度の文字で付加するように構成してもよい。以下、その実施形態について説明する。
【００８４】
図１５は、本発明の第２実施形態を示す画像処理システムにおける登録確認証印刷結果を示す図であり、第１実施形態における図１０，図１１で示すように、通常の印字形態で登録確認証を印字する代わりに、登録確認結果をプリント画像全域に薄い濃度の文字で付加する例である。
【００８５】
本実施形態では、図１５の登録確認結果を１００１で示すように、プリント画像全域に薄い濃度の文字で付加するものである。これにより登録確認結果の改竄を困難とすることができる。
【００８６】
〔第３実施形態〕
上記第１実施形態では、原本登録サーバ１２０がユーザパソコン１００より受信するユーザＩＤ，特徴量を記憶管理して、原本証明プリント処理を制御する場合について説明したが、ユーザパソコン１００より、ユーザＩＤ登録時に、原本証明等を伴うプリントを制限するための制限情報を原本登録サーバ１２０にユーザ別に登録して、ユーザパソコン１００からの再プリント要求時に、該制限情報を参照して、プリント処理を制限できるように構成してもよい。以下、その実施形態について説明する。
【００８７】
図１６は、本発明の第３実施形態を示す画像処理システムの構成を説明する図であり、図１と同一のものには同一の符号を付してある。
【００８８】
図１６において、１０２Ａは制限事項データで、ユーザパソコン１００より入力される制限事項である。なお、制限事項としては、例えばプリントを許可する最大部数または回数、プリントを許可する自分以外のユーザ、プリントする年月日（例えば２００３年２月２８日以降）等を設定可能に構成されている。なお、これらの情報を組み合わせたり、プリント時間帯，カラー／モノクロ印刷の有無／テキストサイズ／レイアウト出力等のプリンタに設定可能な制限事項であれば、別に上記制限事項には限定されない。
【００８９】
ただし、制限事項として設定可能なデータは、該特徴量を原本登録サーバ１２０に登録する際、すなわち、最初にリーダ１０１から入力されるプリントデータを印刷する場合であり、２回目以降のプリント時には、これらの制御情報は入力されない。
【００９０】
１２１Ａは制限事項で、ユーザパソコン１００より送信された制限事項データに基づいて、原本登録サーバ１２０の外部メモリにユーザ毎に登録される。
【００９１】
図１７は、本発明に係る画像処理システムにおける第４のデータ処理手順の一例を示すフローチャートであり、図１に示したユーザパソコン１００と原本登録サーバ１２０との間における一連の再プリント時の処理手順に対応する。なお、（１７０１）〜（１７０９）はユーザパソコン１００側の各ステップに対応し、（１７１０）〜（１７１４）は原本登録サーバ１２０側の各ステップに対応する。また、各ステップに対応する制御プログラムは外部メモリ１１等よりＲＡＭ２上にロードされて、ＣＰＵ１が実行することにより達成されるものとする。以下、プリント処理について詳述する。
【００９２】
まず、ステップ（１７０１）において、ユーザパソコン１００のＣＲＴ１０上に図５で示す操作画面を表示して、ユーザが通常プリントか原本登録プリントかの選択を原本登録プリントボタン１１０２または通常プリントボタン１１０１により行う。原本登録プリントの選択をユーザが行った際は、ステップ（１７０３）〜（１７０６）の処理を行う。通常プリントの選択をユーザが行った際は、ステップ（１７０２）へ進み、図２で示す本文プリントエリア２０２の部分のプリントデータのみ作成して、ステップ（１７０８）へ進む。
【００９３】
一方、ステップ（１７０１）で、原本登録プリントを選択した場合には、ステップ（１７０３）において、図６に示す方法でプリントデータからハッシュ変換を行い、特徴量としてメッセージダイジェスト値を抽出する。
【００９４】
そして、ステップ（１７０４）において、ユーザパソコンに既設定されているユーザＩＤを抽出し、ステップ（１７０５）で、ユーザが上記制限事項を入力したら、ステップ（１７０３）で抽出したダイジェスト値（特徴量），ユーザＩＤ，制限事項を原本登録サーバ１２０に送出する。
【００９５】
次に、ステップ（１７０６）において、原本登録サーバ１２０で発行した、登録番号を受信する。そして、ステップ（１７０７）において、図２に示した証明内容エリア２０１及び本文プリントエリア２０２のプリントデータを作成する。そして、ステップ（１７０８）において、ステップ（１７０７）で作成されたプリントデータに基づきプリンタ１１０でプリント処理を実行して、処理を終了する。
【００９６】
以下、ステップ（１７１０）〜（１７１４）の原本登録サーバ１２０の処理を説明する。
【００９７】
まず、ステップ（１７１０）において、ユーザパソコン１００からデータ（メッセージダイジェスト値（特徴量），ユーザＩＤ，制限事項を含む）を受信した日時を特定する。そして、ステップ（１７１１）において、ユーザパソコン１００から送られてきたユーザＩＤが正当か否かを検証して、正当なユーザＩＤでないと判断した場合は、ステップ（１７１４）へ進み処理を終了する。
【００９８】
なお、当該検証の際に、登録された制限事項１２１Ａに基づく制限を管理しているプリンタ１１０の現在の状態（プリント管理情報（部数，枚数等））からプリント許可できるかどうかを例えば図１２に示したステップ（１３１１）で判断して、ＯＫである場合に、再プリント番号，日時をユーザパソコン１００に通知するものとする。
【００９９】
一方、ステップ（１７１１）で、正当なユーザＩＤであると判断した場合は、ステップ（１７１２），（１７１３）の処理を行う。
【０１００】
そして、ステップ（１７１２）において、受信日時及びユーザＩＤによりユニークに決められる登録番号を決定しユーザパソコン１００に送出する。次に、ステップ（１７１３）において、図１で示す原本登録ファイル１２１に該当するデータを格納する。
【０１０１】
以下、図１８に示すメモリマップを参照して本発明に係るデータ処理装置およびサーバ装置を適用可能な画像処理システムで読み取り可能なデータ処理プログラムの構成について説明する。
【０１０２】
図１８は、本発明に係る情報処理装置で読み取り可能な各種データ処理プログラムを格納する記憶媒体のメモリマップを説明する図である。
【０１０３】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１０４】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１０５】
本実施形態における図４，図９，図１２，図１７に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１０６】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１０７】
この場合、記憶媒体から読み出されたプログラムコード自体が本発明の新規な機能を実現することになり、そのプログラムコードを記憶した記憶媒体は本発明を構成することになる。
【０１０８】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【０１０９】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１１０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１１１】
本発明は上記実施形態に限定されるものではなく、本発明の趣旨に基づき種々の変形（各実施形態の有機的な組合せを含む）が可能であり、それらを本発明の範囲から排除するものではない。
【０１１２】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜１３について説明する。
【０１１３】
〔実施態様１〕
サーバ装置とデータ処理装置とが通信して所定のデータ処理を行う画像処理システムであって、データ処理装置は、プリンタ装置から出力すべき電子データの特徴量を抽出する抽出手段（図４に示すステップ（３０３））と、前記抽出手段により抽出される特徴量と該電子データのプリント要求者を識別するためのユーザＩＤとを含む原本特定情報を前記サーバ装置に送出する送出手段（図４に示すステップ（３０４））と、前記サーバ装置から管理される管理情報と前記電子データとに基づき、前記プリンタ装置に出力すべきプリントデータの作成を制御する制御手段（図４に示すステップ（３０６））とを備え、前記サーバ装置は、前記データ処理装置から送信される前記原本特定情報を受信して記憶部に登録して管理する管理手段（図４に示すステップ（３１３））と、前記データ処理装置による再プリント要求時に、前記データ処理装置から送信される原本特定情報と前記記憶部に登録された原本特定情報とを参照して、前記電子データに付加すべき管理情報を前記データ処理装置に通知する通知手段（図４に示すステップ（３１２））とを備えたことを特徴とする画像処理システム。
【０１１４】
〔実施態様２〕
サーバ装置とデータ処理装置とが通信して所定のデータ処理を行う画像処理システムであって、データ処理装置は、プリンタ装置から出力すべき電子データの特徴量を抽出する抽出手段（図１７に示すステップ（１７０３））と、前記抽出手段により抽出される特徴量と該電子データのプリント要求者を識別するためのユーザＩＤと、前記電子データのプリント動作を制限する制限情報を含む原本特定情報を前記サーバ装置に送出する送出手段（図１７に示すステップ（１７０５））と、前記サーバ装置から管理される管理情報と前記電子データとに基づき、前記プリンタ装置に出力すべきプリントデータの作成を制御する制御手段（図１７に示すステップ（１７０７））とを備え、前記サーバ装置は、前記データ処理装置から送信される前記原本特定情報を受信して記憶部に登録して管理する管理手段（図１７に示すステップ（１７１３））と、前記データ処理装置による再プリント要求時に、前記制限情報を参照してプリント実行の可否を決定する確認を行う確認手段（図１７に示すステップ（１７１１））と、前記データ処理装置による再プリント要求時に、前記データ処理装置から送信される原本特定情報と前記記憶部に登録された原本特定情報とを参照して、前記電子データに付加すべき管理情報、及び前記確認結果とを前記データ処理装置に通知する通知手段（図１７に示すステップ（１７１２））とを備えたことを特徴とする画像処理システム。
【０１１５】
〔実施態様３〕
サーバ装置とデータ処理装置とが通信して所定のデータ処理を行う画像処理システムにおけるデータ処理方法であって、プリンタ装置から出力すべき電子データの特徴量を抽出する抽出ステップ（図４に示すステップ（３０３））と、前記抽出ステップにより抽出される特徴量と該電子データのプリント要求者を識別するためのユーザＩＤとを含む原本特定情報を前記サーバ装置に送出する送出ステップ（図４に示すステップ（３０４））と、前記サーバ装置から管理される管理情報と前記電子データとに基づき、前記プリンタ装置に出力すべきプリントデータの作成を制御する制御ステップ（図４に示すステップ（３０６））と、前記データ処理装置から送信される前記原本特定情報を受信して記憶部に登録して管理する管理ステップ（図４に示すステップ（３１３））と、前記データ処理装置による再プリント要求時に、前記データ処理装置から送信される原本特定情報と前記記憶部に登録された原本特定情報とを参照して、前記電子データに付加すべき管理情報を前記データ処理装置に通知する通知ステップ（図４に示すステップ（３１２））とを備えたことを特徴とするデータ処理方法。
【０１１６】
〔実施態様４〕
サーバ装置とデータ処理装置とが通信して所定のデータ処理を行う画像処理システムにおけるデータ処理方法であって、プリンタ装置から出力すべき電子データの特徴量を抽出する抽出ステップ（図１７に示すステップ（１７０３））と、前記抽出ステップにより抽出される特徴量と該電子データのプリント要求者を識別するためのユーザＩＤと、前記電子データのプリント動作を制限する制限情報を含む原本特定情報を前記サーバ装置に送出する送出ステップ（図１７に示すステップ（１７０５））と、前記サーバ装置から管理される管理情報と前記電子データとに基づき、前記プリンタ装置に出力すべきプリントデータの作成を制御する制御ステップ（図１７に示すステップ（１７０７））と、前記データ処理装置から送信される前記原本特定情報を受信して記憶部に登録して管理する管理ステップ（図１７に示すステップ（１７１３））と、前記データ処理装置による再プリント要求時に、前記制限情報を参照してプリント実行の可否を決定する確認を行う確認ステップ（図１７に示すステップ（１７１１））と、前記データ処理装置による再プリント要求時に、前記データ処理装置から送信される原本特定情報と前記記憶部に登録された原本特定情報とを参照して、前記電子データに付加すべき管理情報、及び前記確認ステップによる確認結果とを前記データ処理装置に通知する通知ステップ（図１７に示すステップ（１７１２））とを備えたことを特徴とするデータ処理方法。
【０１１７】
〔実施態様５〕
前記記憶部は、前記特徴量を記録した日時を特定する情報を管理情報として記憶する事を特徴とする実施態様３または４記載のデータ処理方法。
【０１１８】
〔実施態様６〕
前記記憶部は、プリントするユーザを特定するユーザＩＤを記憶する事を特徴とする実施態様３または４記載のデータ処理方法。
【０１１９】
〔実施態様７〕
前記制御ステップは、前記特徴量を電子透かしとしてプリントデータに付加することを特徴とする実施態様３または４記載のデータ処理方法。
【０１２０】
〔実施態様８〕
前記通知ステップは、原本特定情報が前記記憶部に登録された登録日を含む管理情報を前記データ処理装置に通知することを特徴とする実施態様３または４記載のデータ処理方法。
【０１２１】
〔実施態様９〕
前記制限情報は、前記電子データをプリントする最大部数または印刷回数の上限値であることを特徴とする実施態様４記載のデータ処理方法。
【０１２２】
〔実施態様１０〕
前記制限情報は、前記電子データをプリント可能な登録ユーザ以外のユーザを特定する原本特定情報であることを特徴とする実施態様４記載のデータ処理方法。
【０１２３】
〔実施態様１１〕
前記制限情報は、前記電子データをプリント可能とする日付または時刻であることを特徴とする実施態様４記載のデータ処理方法。
【０１２４】
〔実施態様１２〕
実施態様３〜１１のいずれかに記載のデータ処理方法を実現するプログラムを記憶したことを特徴とするコンピュータが読み取り可能な記憶媒体。
【０１２５】
〔実施態様１３〕
実施態様３〜１１のいずれかに記載のデータ処理方法を実現することを特徴とするプログラム。
【０１２６】
上記実施形態および実施態様によれば、電子データをクライアントシステムから再プリントする際に、電子データの特徴量をクライアントシステムから原本登録サーバに送信する手段と、原本登録サーバ上に記憶されている特徴量と照合する手段と、前記照合手段により原本登録サーバに既登録の電子データと同一と確認された場合、クライアントシステムにおいて、原本登録サーバに既登録されたデータ（原本登録時の日時）に基づいて、原本性を保証する情報をプリントに付加する手段とを有するので、電子データを再プリントする際に、再プリントの際にも、原本登録時の原本情報（原本登録日時）を保証する事ができる。
【０１２７】
【発明の効果】
以上説明したように、本発明によれば、プリンタ装置から出力すべき電子データの特徴量を抽出し、該抽出される特徴量と該電子データのプリント要求者を識別するためのユーザＩＤとを含む原本特定情報をサーバ装置に送出して管理し、サーバ装置において該管理される管理情報と電子データとに基づき、サーバ装置から通知される管理情報に基づきプリンタ装置に出力すべきプリントデータの作成を制御するので、ユーザがサーバ装置に登録した原本特定情報に従い、電子データを再プリント処理する際に、先に登録された登録日時を電子データに付帯させた印刷結果を容易に得ることができる原本保証プリントを再現性よく行えるという効果を奏する。
【図面の簡単な説明】
【図１】本発明の第１実施形態を示す画像処理システムの構成を説明する図である。
【図２】図１に示したプリンタから出力される原本保証コード付プリントのプリント内容を説明する図である。
【図３】本発明の第１実施形態を示す情報処理装置を適用可能な画像処理システムの構成を説明するブロック図である。
【図４】本発明に係る画像処理システムにおける第１のデータ処理手順の一例を示すフローチャートである。
【図５】図３に示したＣＲＴ上に表示される第１のプリント属性選択画面の一例を示す図である。
【図６】図１に示したユーザパソコンによるプリントデータ作成処理状態を説明する図である。
【図７】図１に示したユーザパソコンによるメッセージダイジェスト値の生成概念を説明する図である。
【図８】図１に示したユーザパソコンによる電子透かし処理例を説明する図である。
【図９】本発明に係る画像処理システムにおける第２のデータ処理手順の一例を示すフローチャートである。
【図１０】本発明に係る画像処理システムにおける登録確認証結果印刷例を示す図である。
【図１１】本発明に係る画像処理システムにおける登録確認証結果印刷例を示す図である。
【図１２】本発明に係る画像処理システムにおける第３のデータ処理手順の一例を示すフローチャートである。
【図１３】図３に示したＣＲＴ上に表示される第２のプリント属性選択画面の一例を示す図である。
【図１４】図１に示したユーザパソコンで作成されるプリントデータの一例を示す図である。
【図１５】本発明の第２実施形態を示す画像処理システムにおける登録確認証印刷結果を示す図である。
【図１６】本発明の第３実施形態を示す画像処理システムの構成を説明する図である。
【図１７】本発明に係る画像処理システムにおける第４のデータ処理手順の一例を示すフローチャートである。
【図１８】本発明に係る情報処理装置で読み取り可能な各種データ処理プログラムを格納する記憶媒体のメモリマップを説明する図である。
【符号の説明】
１００  ユーザパソコン
１０２  記憶データ
１１０  プリンタ
１１１  原本保証コード付きプリント
１２０  原本登録サーバ
【図１】
2004246663.tif 000003
【図２】
2004246663.tif 000004
【図３】
2004246663.tif 000005
【図４】
2004246663.tif 000006
【図５】
2004246663.tif 000007
【図６】
2004246663.tif 000008
【図７】
2004246663.tif 000009
【図８】
2004246663.tif 000010
【図９】
2004246663.tif 000011
【図１０】
2004246663.tif 000012
【図１１】
2004246663.tif 000013
【図１２】
2004246663.tif 000014
【図１３】
2004246663.tif 000015
【図１４】
2004246663.tif 000016
【図１５】
2004246663.tif 000017
【図１６】
2004246663.tif 000018
【図１７】
2004246663.tif 000019
【図１８】
2004246663.tif 000020